(57)【要約】【課題】操作の受付方法を種々に設定することができる遠隔操作装置を提案する。【解決手段】表示部２により設定内容を表示して、操作部３によりユーザーによる操作を受け付け、操作対象に制御信号を出力する遠隔操作装置において、操作部３に対するユーザーの指の接触箇所の座標を検出する操作検出部１６と、操作検出部１６で検出される座標を判定基準により判定してユーザーによる操作を受け付け、制御信号を出力する制御部２２とを備え、判定基準の設定により、操作検出部１６による操作の受付方法を設定できるように形成される。【選択図】図３
2020102697.tif 000002
【特許請求の範囲】
【請求項１】
表示部により設定内容を表示して、操作部によりユーザーによる操作を受け付け、操作対象に制御信号を出力する遠隔操作装置において、
前記操作部に対する前記ユーザーの指の接触箇所の座標を検出する操作検出部と、
前記操作検出部で検出される座標を判定基準により判定して前記ユーザーによる操作を受け付け、前記制御信号を出力する制御部とを備え、
前記判定基準の設定により、前記操作検出部による操作の受付方法を設定できるように形成された
遠隔操作装置。
【請求項２】
板形状による本体部に、前記表示部、前記操作検出部、前記制御部が設けられ、
前記本体部の表側面に意匠パネルが配置され、
前記操作検出部は、
前記意匠パネルを介して前記指の接触箇所の座標を検出し、
前記遠隔操作装置は、
前記意匠パネルに対応するように、前記判定基準を設定できるように形成された
請求項１に記載の遠隔操作装置。
【請求項３】
前記制御部は、
前記判定基準の設定に対応するように、前記表示部における表示の形態を設定する
請求項１又は請求項２に記載の遠隔操作装置。
【請求項４】
前記制御部は、
前記意匠パネルを識別する識別情報に基いて、前記意匠パネルに対応するように画像表示位置を設定する。
請求項２又は請求項３に記載の遠隔操作装置。
【発明の詳細な説明】
【技術分野】
【０００１】
本発明は、遠隔操作装置に関し、例えばビル等において壁面に設置して空調を操作する遠隔操作装置に適用することができる。
【背景技術】
【０００２】
従来、ビル等においては、壁面に設置したいわゆるリモートコマンダーである遠隔操作装置により空調を遠隔操作している。このような遠隔操作装置は、薄板形状により形成され、画像表示パネルによる表示部により設定内容を表示して操作を受け付ける。
このような遠隔操作装置に関して、特許文献１には、意匠パネルを交換可能とする構成が開示されている。この特許文献１に開示の構成によれば、意匠パネルの交換により遠隔操作装置のデザインを種々に変更することができる。
【先行技術文献】
【特許文献】
【０００３】
【特許文献１】特開２０１８−３２９９２号公報
【発明の概要】
【発明が解決しようとする課題】
【０００４】
ところでこのような遠隔操作装置においては、操作の受付方法を種々に設定することができれば、例えばタップ操作により操作を受け付けるように構成したり、スライド操作により操作を受け付けるように構成したりして、一段と遠隔操作装置の使い勝手を向上することができ、便利であると考えられる。
【０００５】
本発明は以上の点を考慮してなされたものであり、操作の受付方法を種々に設定することができる遠隔操作装置を提案することを目的とする。
【課題を解決するための手段】
【０００６】
係る課題を解決するため、請求項１の発明は、
表示部により設定内容を表示して、操作部によりユーザーによる操作を受け付け、操作対象に制御信号を出力する遠隔操作装置において、
前記操作部に対する前記ユーザーの指の接触箇所の座標を検出する操作検出部と、
前記操作検出部で検出される座標を判定基準により判定して前記ユーザーによる操作を受け付け、前記制御信号を出力する制御部とを備え、
前記判定基準の設定により、前記操作検出部による操作の受付方法を設定できるように形成された。
【０００７】
請求項１の構成によれば、判定基準の設定により、タップ操作によりユーザーの操作を受け付けたり、直線状又は円弧形状の軌跡によるスライド操作によりユーザーの操作を受け付けたりすることができる。これにより操作の受付方法を種々に設定することができる。その結果、従来に比して一段と高い自由度により種々にデザインを変更することができ、さらには使い勝手を向上することができる。また機能の変更、機種の変更等に、柔軟に対応することができる。
【０００８】
また請求項２の発明は、請求項１の構成において、
板形状による本体部に、前記表示部、前記操作検出部、前記制御部が設けられ、
前記本体部の表側面に意匠パネルが配置され、
前記操作検出部は、
前記意匠パネルを介して前記指の接触箇所の座標を検出し、
前記遠隔操作装置は、
前記意匠パネルに対応するように、前記判定基準を設定できるように形成された。
【０００９】
請求項２の構成によれば、意匠パネルの表示に対応するように操作の受け付けを設定することができ、これにより直感的に操作方法を把握できるようにして使い勝手を向上することができる。
【００１０】
請求項３の発明は、請求項１又は請求項２の構成において、
前記制御部は、
前記判定基準の設定に対応するように、前記表示部における表示の形態を設定する。
【００１１】
請求項３の構成によれば、ユーザーの操作の受け付けに対応するように表示の形態を設定することにより、一段と使い勝手を向上することができる。
【００１２】
請求項４の発明は、請求項２又は請求項３の構成において、
前記制御部は、
前記意匠パネルを識別する識別情報に基いて、前記意匠パネルに対応するように画像表示位置を設定する。
【００１３】
請求項４の構成によれば、意匠パネルに設けられた目盛等に一致するように、画像表示位置を設定することができ、これによりデザインの自由度を向上し、さらにはユーザーの利便性を向上することができる。
【発明の効果】
【００１４】
本発明の遠隔操作装置によれば、操作部における操作の受付方法を種々に設定することができる。
【図面の簡単な説明】
【００１５】
【図１】本発明の実施形態に係る遠隔操作装置を示す平面図である。
【図２】図１の遠隔操作装置の構成を示す平面図である。
【図３】図１の遠隔操作装置のブロック図である。
【図４】意匠パネルと本体部との関係を示す図である。
【図５】他の例による意匠パネルと本体部との関係を示す図である。
【図６】図４及び図５の例とは異なる例による意匠パネルと本体部との関係を示す図である。
【図７】図４〜図６の例とは異なる例による意匠パネルと本体部との関係を示す図である。
【図８】本発明の第２実施形態に係る遠隔操作装置を示す平面図である。
【図９】図８の遠隔操作装置の断面図である。
【発明を実施するための形態】
【００１６】
〔第１実施形態〕
図１は、本発明の第１実施形態に係る遠隔操作装置１を正面より見て示す平面図である。
遠隔操作装置１は、屋内の壁面等に設置して操作対象を遠隔操作するいわゆるリモートコマンダーであり、この実施形態では、この操作対象が空調設備であり、遠隔操作装置１により屋内の空調を操作する。
なお操作対象は、空調設備に限らず、給湯設備、セキュリティーシステム等、種々の構成に広く適用することができる。
【００１７】
遠隔操作装置１は、薄板形状により形成され、正面に、操作対象の設定内容等を表示する表示部２が設けられる。またこの表示部２の下方に、ユーザーによる操作を受け付ける操作部３が設けられ、この操作部３の操作により操作対象に制御信号を出力して操作対象の動作を切り替え、さらには表示部２の表示を切り替える。
【００１８】
図２は、分解して遠隔操作装置１の構成を示す平面図である。
遠隔操作装置１は、薄板形状による本体部１０の表側面に意匠パネル１１が交換可能に配置されて形成される。
ここで意匠パネル１１は、遠隔操作装置１の正面を覆うように配置されて、この遠隔操作装置１を装飾するシート材であり、例えばポリエステル、ポリカーボネート、塩化ビニール等による基材に印刷を施したシート材が適用される。
これにより遠隔操作装置１は、この意匠パネル１１の交換により、種々にデザインを変更できるように構成される。
ここで意匠パネル１１の保持方法は、例えば特開２０１８−３２９９２号公報に開示の構成を適用する場合、さらには本体部１０に貼り付けて保持する場合等、種々の手法を適用することができる。
【００１９】
意匠パネル１１は、本体部１０に設けられた表示部２を視認可能に開口１３が形成される。さらに意匠パネル１１は、操作部３の操作を受け付ける表示が設けられる。ここでこの図２の構成では、この表示が、タップ操作の操作位置を示す表示１２Ａ、１２Ｂ、１２Ｃである。なお表示１２Ａは、起動、停止の操作に係る操作位置を示す表示であり、表示１２Ｂ及び１２Ｃは、それぞれ設定項目、設定内容等のアップダウンの操作に係る操作位置を示す表示である。なお意匠パネル１１は、開口１３の代わりに樹脂やガラスなどの透過性の部材で表示部２を視認可能に形成されていてもよい。
これにより遠隔操作装置１は、意匠パネル１１の選定により、操作部３に係る表示を種々に設定して、例えばタップ操作に係る操作箇所の表示、スライド操作に係る操作箇所の表示等を種々に設定することができるように構成される。
【００２０】
本体部１０は、本体ケース１５に表示部２、操作検出部１６、配線基板１７等を配置して形成され、また配線基板１７には、操作対象に制御信号を出力すると共に表示部２の表示を制御する制御部、意匠パネル１１の識別情報を取得する識別情報取得部、操作対象との通信インターフェース等が設けられる。
【００２１】
表示部２は、液晶表示パネル、有機ＥＬ（Ｅｌｅｃｔｒｏ  Ｌｕｍｉｎｅｓｃｅｎｃｅ）パネル等、種々の画像表示パネルの構成を広く適用することができる。表示部２は、フルカラー表示の構成が適用されるものの、実用上充分な場合には、白黒表示の構成を適用してもよい。
【００２２】
操作検出部１６は、意匠パネル１１の操作部３に対応する部位へのユーザーによる指の接触を検出し、この接触箇所の座標を検出する構成である。具体的に、操作検出部１６は、例えば静電容量方式によるタッチパネルが、本体ケース１５の表側面に、意匠パネル１１に密接するように配置され、検出感度、意匠パネル１１の厚みの選定により、意匠パネル１１上からの指の接触箇所を検出できるように構成される。
【００２３】
図３は、この遠隔操作装置１の構成を示すブロック図である。
この遠隔操作装置１において、識別情報取得部２１は、意匠パネル１１を識別する識別情報を取得する。ここでこの識別情報は、操作対象との通信インターフェースを介して外部の情報端末装置からこの遠隔操作装置１の設置時、意匠パネル１１の交換時、作業員の操作により入力するようにしてもよい。またこれに代えて、意匠パネル１１から取得するようにしてもよい。
【００２４】
制御部２２は、この遠隔操作装置１の動作を制御するコントローラであり、内蔵のメモリに保持した画像データＤ１により表示部２で設定内容を表示する。また操作検出部１６で検出される座標を判定データＤ２により判定してユーザーによる操作を受け付け、操作対象に制御信号を出力し、さらに表示部２の表示を制御する。
制御部２２は、この表示部２の表示に供する画像データＤ１、座標の判定に供する判定データＤ２が、本体部１０に配置可能な意匠パネル１１に対応するようそれぞれ複数設けられ、識別情報取得部２１で取得される識別情報により、本体部１０に設けられた意匠パネル１１に対応する画像データＤ１、判定データＤ２を使用して表示部２の表示を形成すると共に、ユーザーによる操作を受け付ける。
【００２５】
これにより遠隔操作装置１は、ユーザーによる指の接触箇所の座標を検出し、この座標を判定データＤ２による判定基準により判定して操作を受け付ける。これにより遠隔操作装置１では、この判定基準の設定により、タップ操作によりユーザーの操作を受け付けたり、直線状又は円弧形状の軌跡によるスライド操作によりユーザーの操作を受け付けたりすることができ、操作の受付方法を種々に設定することができる。その結果、従来に比して一段と高い自由度により種々にデザインを変更することができ、さらには使い勝手を向上することができる。また機能の変更、機種の変更等に、柔軟に対応することができる。
【００２６】
またさらに遠隔操作装置１は、意匠パネル１１に対応するように、操作検出部１６で検出される座標の判定基準を設定し、これにより意匠パネル１１に設けられた表示により直感的に操作方法を把握できるようにして使い勝手を向上する。
【００２７】
またこの判定基準の設定に対応するように、画像データＤ１により表示部２における表示形態を設定することにより、ユーザーの使い勝手を向上する。
【００２８】
すなわち図２との対比により図４に示すように、タップ操作の操作位置を示す表示１２Ａ、１２Ｂ、１２Ｃが設けられた意匠パネル１１については、この表示１２Ａ、１２Ｂ、１２Ｃに対応する箇所（この意匠パネル１１を本体部１０に配置した際に、この表示１２Ａ、１２Ｂ、１２Ｃと重なり合う箇所）にそれぞれ判定領域１６Ａ、１６Ｂ、１６Ｃを設定する。また操作検出部１６で検出される座標が何れの判定領域１６Ａ、１６Ｂ、１６Ｃに属するか判定し、これによりユーザーの操作を受け付ける。
【００２９】
またこの場合、操作位置を示す表示１２Ｂ、１２Ｃが、アップ、ダウンの操作に係る表示であることにより、表示部２において、設定温度を文字により表示し、これにより操作部３に設けられた表示１２Ａ〜１２Ｃとの対比により直感的に操作部３の操作を把握できるようにして、ユーザーの使い勝手を向上する。
【００３０】
これに対して図５に示すように、起動、停止の操作に係るタップ操作の操作位置を示す表示１２Ｄと、設定温度の可変に係る直線形状の軌跡によるスライド操作位置の表示１２Ｅとが設けられた意匠パネル１１については、これらの表示１２Ｄ、１２Ｅに対応する箇所にそれぞれ判定領域１６Ｄ、１６Ｅを設定する。起動、停止の操作に係る表示１２Ｄに対応する判定領域１６Ｄについては、操作検出部１６で検出される座標がこの判定領域１６Ｄに属するか判定し、これによりユーザーの操作を受け付ける。またスライド操作位置の表示１２Ｅに対応する判定領域１６Ｅについては、操作検出部１６で検出される座標がこの判定領域１６Ｄの何れの箇所に属するか判定することにより、ユーザーによるスライド操作位置を判定し、これによりユーザーの操作を受け付ける。
【００３１】
またこの場合、スライド操作位置の表示１２Ｅに対応する表示２Ｅを表示部２で表示し、これにより直感的に操作部３の操作を把握できるようにして、ユーザーの使い勝手を向上する。またこの表示２Ｅに、設定温度を示す表示２Ｅ１を設けるようにし、これによっても一段と直感的に操作部３の操作を把握できるようにして、ユーザーの使い勝手を向上する。
【００３２】
これに対して図６に示すように、起動、停止の操作に係るタップ操作の操作位置を示す表示１２Ｆと、設定温度の可変に係る円弧形状の軌跡によるスライド操作位置の表示１２Ｇとが設けられた意匠パネル１１については、これらの表示１２Ｆ、１２Ｇに対応する箇所にそれぞれ判定領域１６Ｆ、１６Ｇを設定する。起動、停止の操作に係る表示１２Ｆに対応する判定領域１６Ｆについては、操作検出部１６で検出される座標がこの判定領域１６Ｆに属するか判定し、これによりユーザーの操作を受け付ける。またスライド操作位置の表示１２Ｇに対応する判定領域１６Ｇについては、操作検出部１６で検出される座標がこの判定領域１６Ｇの何れの箇所に属するか判定することにより、ユーザーによるスライド操作位置を判定し、これによりユーザーの操作を受け付ける。
【００３３】
またこの場合、スライド操作位置の表示１２Ｇに対応する表示２Ｇを表示部２で表示し、これにより直感的に操作部３の操作を把握できるようにして、ユーザーの使い勝手を向上する。またこの表示２Ｇに、設定温度を示す表示２Ｇ１を設けるようにし、これによっても一段と直感的に操作部３の操作を把握できるようにして、ユーザーの使い勝手を向上する。
なお図５、図６に示すように、スライド操作により操作を受け付ける場合には、意匠パネル１１に凸形状又は凹形状によるスライド操作をガイドするガイド部を設けるようにしてもよく、このようにすれば一段と使い勝手を向上することができる。また意匠パネル１１の表示１２Ｅ、１２Ｇ、対応する表示部２の表示２Ｅ、２Ｇに目盛等を設けて、操作の基準を把握できるようにしてもよく、このようにすれば一段と使い勝手を向上することができる。
【００３４】
また図５との対比により図７に示すように、タップ操作の操作位置を示す表示１２Ａ、１２Ｂ、１２Ｃが設けられた意匠パネル１１において、設定温度を示す目盛の表示１２Ｈが表示部２の外形に沿って設けられている場合、同様にして判定領域１６Ａ、１６Ｂ、１６Ｃを設定してユーザーの操作を受け付けるようにして、意匠パネル１１に設けられた目盛の表示１２Ｈに対応するように、設定温度を示す表示２Ｈを表示部２で表示する。
これにより遠隔操作装置１では、意匠パネル１１の識別情報を有効に利用して、意匠パネル１１に設けられた目盛等に一致するように、画像表示位置を設定する。これにより遠隔操作装置１では、目盛の表示１２Ｈを意匠パネル１１側に設けた分だけ、表示部２における情報表示可能領域を拡大することができ、一段とデザインの自由度を向上し、さらにはユーザーの利便性を向上することができる。
【００３５】
なお図５、図６に示すように、スライド操作により操作を受け付ける場合には、意匠パネル１１に凸形状又は凹形状によるスライド操作をガイドするガイド部を設けるようにしてもよく、このようにすれば一段と使い勝手を向上することができる。また意匠パネル１１の表示１２Ｅ、１２Ｇ、対応する表示部２の表示２Ｅ、２Ｇに目盛等を設けて、操作の基準を把握できるようにしてもよく、このようにすれば一段と使い勝手を向上することができる。
なお操作検出部１６による操作の受付は、これらに限らず、いわゆるピンチイン操作、ピンチアウト操作、フリック操作等により操作を受け付けるようにしてもよい。
【００３６】
以上の構成によれば、意匠パネルに対するユーザーの指の接触箇所の座標を検出して操作を受け付けるようにして、この座標の判定基準の設定により操作の受付方法を設定できるようにすることにより、タップ操作によりユーザーの操作を受け付けたり、直線状又は円弧形状の軌跡によるスライド操作によりユーザーの操作を受け付けたりすることができる。またこの操作の受け付けに対応するように意匠パネルの表示を設定することができる。これにより操作の受付方法を種々に設定することができる。その結果、現場にてデザインを変更したり、使用途中でデザインを変更したりすることができ、これにより従来に比して一段と高い自由度により種々にデザインを変更することができ、さらには使い勝手を向上することができる。また本体部を共通化して、デザインの異なる遠隔操作装置を提供することができ、これにより機能の変更、機種の変更等に、柔軟に対応することができる。
【００３７】
またさらに意匠パネルに対応するように判定基準を設定することにより、直感的に操作方法を把握できるようにして使い勝手を向上することができる。
【００３８】
またさらにこの判定基準値の設定に対応するように、表示部における表示の形態を設定することにより、一段と使い勝手を向上することができる。
【００３９】
またさらに意匠パネルを識別する識別情報に基いて、意匠パネルに対応するように画像表示位置を設定することにより、デザインの自由度を向上し、さらにはユーザーの利便性を向上することができる。
【００４０】
〔第２実施形態〕
図８は、図１との対比により本発明の第２実施形態に係る遠隔操作装置を示す平面図である。この図８の構成において、第１実施形態について上述した遠隔操作装置１と同一の構成は、対応する符号を付して示し、重複した説明は省略する。
この遠隔操作装置３１は、意匠パネル３２を本体部３３に配置して形成され、この意匠パネル３２の識別情報を意匠パネル３２から取得する識別情報取得部３４が設けられる。
【００４１】
図９は、この遠隔操作装置３１をＡ−Ａ線及びＢ−Ｂ線によりそれぞれ切り取って示す断面図である。なお図９（Ａ）及び（Ｂ）において、意匠パネル３２の構造を分かりやすく示すため、その厚みを誇張して示している。
この遠隔操作装置３１において、意匠パネル３２は、バックライト４１に印刷シート４２を積層して形成される。
ここで印刷シート４２は、この意匠パネル３２により遠隔操作装置３１を装飾する印刷面を備えたシート材であり、例えばポリエステル、ポリカーボネート、塩化ビニール等による基材に印刷を施して形成される。
バックライト４１は、ポリカーボネート等の透明板材又は透明シート材による導光部材４４の背面（本体部３３側）に反射シート４５を配置して形成され、本体部３３からの照明光Ｌ１を導光部材４４に入射して内部伝搬しながら、印刷シート４２に向けて出射し、これにより印刷シート４２を背面より照明して、意匠パネル３２に設けられた各種の表示１２Ａ、１２Ｂ、１２Ｃを浮き出たせ、これにより使い勝手を向上し、さらにはデザインを向上する。
反射シート４５は、導光部材４４から本体部３３側に漏れ出す照明光Ｌ１を反射して導光部材４４に再入射し、これにより照明光Ｌ１の利用効率を向上する。なおバックライト４１は、反射シート４５の代わりに導光部材４４に反射材を直接印刷や蒸着することで、照明光Ｌ１の反射構造が形成されてもよい。
また意匠パネル３２は、バックライト４１に直接印刷することで形成されてもよく、開口１３の代わりに透明樹脂やガラス等の透光性の部材で表示部２を視認可能に形成されていてもよい。
【００４２】
これにより本体部３３には、照明光Ｌ１を出射する発光ダイオード等による光源４７が設けられ、反射シート４５は、この光源４７からの照明光Ｌ１を導光部材４４に入射するための開口４６が光源４７に対向する部位に設けられる。
【００４３】
識別情報取得部３４は、この照明光Ｌ１を利用して識別情報を取得する。
すなわち本体部３３は、導光部材４４から漏れ出す照明光Ｌ１をそれぞれ受光する受光部３４Ａ、３４Ｂ、３４Ｃが複数設けられる。
意匠パネル３２の反射シート４５は、これら複数の受光部３４Ａ、３４Ｂ、３４Ｃのうちの、意匠パネル３２に応じた受光部に対向する部位（この図９の例では受光部３４Ｃに対向する部位）に開口３５が形成される。
これによりこれら複数の受光部３４Ａ、３４Ｂ、３４Ｃにおいては、開口３５が設けられた受光部でのみ、導光部材４４から漏れ出す照明光Ｌ１を受光することができ、この開口が意匠パネル３２に応じて設けられていることにより、何れの受光部３４Ａ、３４Ｂ、３４Ｃで照明光Ｌ１が受光されたか否か判定することにより、意匠パネル３２を識別することができる。
またこの図９の例では、受光部３４Ａ、３４Ｂ、３４Ｃが３つ設けられており、本体部３３に意匠パネル３２が設けられていない場合もあることにより、最大で７種類の意匠パネル３２を識別することができる。
これにより識別情報取得部３４は、受光部３４Ａ、３４Ｂ、３４Ｃの受光結果を２値識別することにより、３ビットにより識別情報を取得する。
なおこのような開口３５に代えて、反射シート４５の透過光を遮光する遮光部を選択的に設けるようにして、意匠パネル３２から識別情報を取得するようにしてもよい。
【００４４】
この実施形態では、意匠パネルより識別情報を取得することにより、意匠パネルに対応するように、受付方法、表示部の表示形態を設定することができ、一段と使い勝手を向上することができる。
【００４５】
〔他の実施形態〕
以上、本発明の実施に好適な具体的な構成を詳述したが、本発明は、本発明の趣旨を逸脱しない範囲で、上述の実施形態の構成を種々に変更することができる。
【００４６】
すなわち上述の第２実施形態では、バックライトの構成を利用して識別情報を検出する場合について述べたが、本発明はこれに限らず、例えば第１実施形態の構成において、導電性のインクを意匠パネルの裏面に印刷するようにして、この印刷の有無を操作検出部により検出して識別情報を検出する場合等、種々の検出手法を広く適用することができる。
【符号の説明】
【００４７】
１、３１  遠隔操作装置
２  表示部
３  操作部
１０、３３  本体部
１１、３２  意匠パネル
１３、３５、４６  開口
１５  本体ケース
１６  操作検出部
１６Ａ〜１６Ｇ  判定領域
１７  配線基板
２１  識別情報取得部
２２  制御部
３４  識別情報取得部
３４Ａ〜３４Ｃ  受光部
４１  バックライト
４２  印刷シート
４４  導光部材
４７  光源
【図１】
2020102697.tif 000003
【図２】
2020102697.tif 000004
【図３】
2020102697.tif 000005
【図４】
2020102697.tif 000006
【図５】
2020102697.tif 000007
【図６】
2020102697.tif 000008
【図７】
2020102697.tif 000009
【図８】
2020102697.tif 000010
【図９】
2020102697.tif 000011